(57)【要約】【課題】配索している電線に作用するテンションを検出可能なワイヤーハーネス組立用配索治具を提供する。【解決手段】ワイヤーハーネスを組み立てるための組立作業台上に立設される支持軸体５と、支持軸体５の上部に設けられた電線案内部６とを備えたワイヤーハーネス組立用配索治具において、支持軸体５を電線引張方向Ａに変位可能に設け、支持軸体５を変位ゼロの位置に引張バネ２５で付勢すると共に、該引張バネ２５に抗しての支持軸体５の変位を検出するセンサ２０をテンション検出用の手段として設けた。【選択図】図１
2005235451.tif 000002
【特許請求の範囲】
【請求項１】
ワイヤーハーネスを組み立てるための組立作業台上に立設される支持軸体（５）と、該支持軸体（５）の上部に設けられた電線案内部（６）とを備えたワイヤーハーネス組立用配索治具において、
前記支持軸体（５）に作用する電線引張方向（Ａ）の過大な荷重を検出する過重検出手段（２０）を設けたことを特徴とするワイヤーハーネス組立用配索治具。
【請求項２】
請求項１に記載のワイヤーハーネス組立用配索治具であって、
前記支持軸体（５）を電線引張方向（Ａ）に変位可能に設け、該支持軸体（５）を変位ゼロの位置にバネ（２５）で付勢すると共に、該バネ（２５）に抗しての前記支持軸体（５）の変位を検出するセンサ（２０）を前記過重検出手段として設けたことを特徴とするワイヤーハーネス組立用配索治具。
【発明の詳細な説明】
【技術分野】
【０００１】
本発明は、配索している電線に作用するテンションを検出可能なワイヤーハーネス組立用配索治具に関するものである。
【背景技術】
【０００２】
自動車用等のワイヤーハーネスを組み立てる場合、組立作業台上に立設した配索治具のＵ字状の電線案内部に電線を通しながら電線を配索している（例えば、特許文献１参照）。この場合、例えば、電線の端末に取り付けたコネクタ等を電線案内部に引っ掛けることで、電線を弛み無く配索するようにしている。
【特許文献１】特開２００３−７７３５４号公報
【発明の開示】
【発明が解決しようとする課題】
【０００３】
ところで、配索治具は位置が固定されているので、その電線案内部に電線を通しながら配索すると、場合によっては電線に過大なテンションがかかることがある。そうすると、電線に限度以上の伸びが生じて断線や芯線切れを起こしたり、電線案内部に引っ掛かったコネクタが破損したり、あるいは、配索治具に過大な撓みが生じたりするおそれがあるが、従来は、電線にどれくらいのテンションがかかっているかを知る術がなかったので、このような事態を未然に防ぐことができなかった。
【０００４】
本発明は、上記事情を考慮し、配索している電線に作用するテンションを検出可能なワイヤーハーネス組立用配索治具を提供することを目的とする。
【課題を解決するための手段】
【０００５】
請求項１の発明は、ワイヤーハーネスを組み立てるための組立作業台上に立設される支持軸体と、該支持軸体の上部に設けられた電線案内部とを備えたワイヤーハーネス組立用配索治具において、前記支持軸体に作用する電線引張方向の過大な荷重を検出する過重検出手段を設けたことを特徴とする。
【０００６】
請求項２の発明は、請求項１に記載のワイヤーハーネス組立用配索治具であって、前記支持軸体を電線引張方向に変位可能に設け、該支持軸体を変位ゼロの位置にバネで付勢すると共に、該バネに抗しての前記支持軸体の変位を検出するセンサを前記過重検出手段として設けたことを特徴とする。
【発明の効果】
【０００７】
請求項１の発明によれば、支持軸体に作用する電線引張方向の過大な荷重を検出する過重検出手段を設けたので、電線のテンションが直に配索治具にかかるように電線を配索治具にセットすれば（例えば、電線の端末に取り付けたコネクタが電線案内部の側面に引っ掛かるようにセットすれば）、前記過重検出手段により電線のテンションを検出することができる。従って、許容値以上に電線のテンションが増加した場合、作業者にそれを知らせることにより、断線やその他の不具合の発生を未然に防ぐことができる。
【０００８】
請求項２の発明によれば、支持軸体を電線引張方向に変位可能に設け、該支持軸体を変位ゼロの位置にバネで付勢すると共に、該バネに抗しての支持軸体の変位を検出するセンサを前記過重検出手段として設けたので、簡単な構造で、精度良く、電線に作用するテンションを検出することができる。
【発明を実施するための最良の形態】
【０００９】
以下、本発明の実施形態を図面を参照しながら説明する。
【００１０】
図１（ａ）は実施形態のワイヤーハーネス組立用配索治具の部分断面とした側面図、（ｂ）は（ａ）図のＩｂ矢視部の斜視図、（ｃ）は（ａ）図のＩｃ−Ｉｃ矢視断面図である。
【００１１】
この実施形態のワイヤーハーネス組立用配索治具は、図示略の組立作業台上に固定されるベース１と、ベース１上に設けられたブラケット２と、ブラケット２に水平な軸３を介して矢印Ｂ方向（倒れ方向）に回動自在（変位自在）に立設された支持軸体５と、支持軸体５の上部に設けられ、電線Ｗの端末を支持軸体５の回動する面と平行に通し得るＵ字状の電線案内部６と、支持軸体５と平行にベース１上に立設されたバネ受け部材４と、支持軸体５を矢印Ｂ方向と逆方向への回動を阻止して垂直位置（変位ゼロの位置）に規制するストッパ７と、バネ受け部材４と支持軸体５との間に介装され、支持軸体５をストッパ７に当たる方向（矢印Ｂ方向と逆方向Ｃ）に引っ張ることで、無負荷のときにストッパ７に所定の予圧を持って支持軸体５を押圧させる引張バネ２５と、支持軸体５とバネ受け部材４との間に位置してベース１上に立設されたセンサ支持部材８と、センサ支持部材８と支持軸体５との間に設けられ、支持軸体５の、ストッパ７で規制された位置からの回動変位を検出するセンサ２０と、から構成されている。
【００１２】
前記センサ２０は、支持軸体５が引張バネ２５に抗して矢印Ｂ方向（電線引張方向）に回動変位するときの過大な荷重を検出する過重検出手段に相当し、例えば、リードスイッチ２１とマグネット２２の組み合わせにより構成されている。なお、図示例では、配線の引き出し易さから、リードスイッチ２１を固定側であるセンサ支持部材８に取り付け、マグネット２２を可動側である支持軸体５に取り付けているが、逆でもよい。
【００１３】
次に作用を説明する。
【００１４】
ワイヤーハーネス配索時には、電線Ｗの端末を、支持軸体５の上部の電線案内部６に通して、ワイヤーハーネスの配索作業を行う。その際、電線Ｗの端末に取り付けてあるコネクタ１０が、支持軸体５の倒れる方向（矢印Ｂ方向）と逆側に位置するように、電線Ｗの端末を電線案内部６に通しておく。
【００１５】
このようにセットすることで、配索作業中に電線Ｗに矢印Ａ方向のテンションが働くと、コネクタ１０が電線案内部６の側面に押圧することになる。そして、電線Ｗのテンションが所定以上に増加すると、コネクタ１０から受ける力により、矢印Ａ方向の引張力が支持軸体５に作用することになり、支持軸体５が引張バネ２５の力に抗して矢印Ｂ方向に回動変位する。そうすると、センサ２０が回動変位を検出して信号を出力し、作業者にテンションが所定以上に過大になったことを知らせる。その結果、作業者は、断線やその他の不具合の発生を未然に防ぐ処置をすることができる。
【００１６】
特に、この配索治具の場合、支持軸体５を電線引張方向（矢印Ａ）に回動変位可能に設け、支持軸体５を変位ゼロの位置に引張バネ２５で付勢すると共に、該引張バネ２５に抗しての支持軸体５の回動変位を検出するセンサ２０をテンション検出用の手段として設けたので、簡単な構造で、精度良く、電線Ｗに作用するテンションを検出することができる。
【００１７】
なお、保持した電線Ｗから引張荷重を受けた際に支持軸体５の一番撓みやすい部分にストレーンゲージを過重検出手段として貼り付けておけば、精度的には若干落ちるが、より簡単な構成で電線Ｗのテンションを検出することもできる。
【００１８】
また、過重検出手段として、光センサや接触式センサを用いることで、上記実施形態と同様に、比較的簡単な構成で電線Ｗのテンションを検出することができる。
【図面の簡単な説明】
【００１９】
【図１】（ａ）は本発明の実施形態のワイヤーハーネス組立用配索治具の部分断面とした側面図、（ｂ）は（ａ）図のＩｂ矢視部の斜視図、（ｃ）は（ａ）図のＩｃ−Ｉｃ矢視断面図である。
【符号の説明】
【００２０】
Ｗ  電線
Ａ  電線引張方向
５  支持軸部
６  電線案内部
２０  センサ（過重検出手段）
２５  引張バネ
【図１】
2005235451.tif 000003